(57)【要約】【課題】店舗に陳列装置の一部として利用しうる設備がある場合にはこれを有効利用することができ、しかも、安価な陳列装置を提供する。【解決手段】商品を収納する収納ボックス１と、上下方向に延びる左右一対のレールを有する背板４と、この背板４の両レールに取り付けられる陳列ユニット６とを備えている。そして、上記陳列ユニット６が、商品を載置する棚板部１３と、この棚板部１３の後部に載置されるケース１４と、このケース１４の内部に配設する照明手段とからなり、上記収納ボックス１に背板４を固定しこの背板４の両レールに陳列ユニット６を取り付けるようにした第１の態様と、商品を販売する店舗に左右一対のレールが既設されている場合にこれら両レールに陳列ユニット６を取り付けるようにした第２の態様とのいずれかの態様を選択しうるように構成している。【選択図】図１
2006192085.tif 000002
【特許請求の範囲】
【請求項１】
商品を収納する収納箱と、上下方向に延びる左右一対のレールを有する背板と、この背板の両レールに取り付けられる陳列棚とを備え、上記陳列棚が、商品を載置する棚板部と、この棚板部の後部に載置されるケースと、このケースの内部に配設する照明手段とからなり、上記収納箱に背板を固定しこの背板の両レールに陳列棚を取り付けるようにした第１の態様と、商品を販売する店舗に左右一対のレールが既設されている場合にこれら両レールに陳列棚を取り付けるようにした第２の態様とのいずれかの態様を選択しうるように構成したことを特徴とする陳列装置。
【請求項２】
上記第２の態様において、店舗に既設された両レールの近傍に収納箱を配設するようにしたＡ態様と、商品を収納する収納手段が上記店舗にある場合にこの店舗に既設された両レールの近傍に上記収納手段を配設するようにしたＢ態様とのいずれかの態様を選択しうるように構成した請求項１記載の陳列装置。
【請求項３】
上記陳列棚として、横幅の異なる複数種類のものが用意されている請求項２記載の陳列装置。
【請求項４】
上記陳列棚の後壁に左右一対のスライド板を左右方向にスライド自在に取り付け、これら両スライド板に、背板のレールに着脱自在に係合する係合手段を設けた請求項１〜３のいずれか一項に記載の陳列装置。
【請求項５】
上記両スライド板の係合手段より下側部分から突片を後方に向かって突設し、この突片が背板に当接した状態では上記陳列棚の棚板部が略水平姿勢に保持されるように構成されている請求項４記載の陳列装置。
【請求項６】
請求項３〜請求項５のいずれか一項に記載の陳列装置を受注する際に用いられるシートであって、上記背板の両レールの代わりとなる左右一対のレールが、店舗に既設された設備として有るのか無いのかをチェックする項目と、上記設備が有る場合に上記設備の周りのスペースの横幅が上記背板の横幅以上であるのか上記背板の横幅より短いのかをチェックする項目と、上記設備が有りかつ上記スペースの横幅が背板の横幅以上である場合に上記収納箱が必要で有るのか無いのかをチェックする項目とが記載され、各項目をチェックすることにより、上記設備が無い場合には上記陳列装置のうち収納箱と背板とこの背板の横幅に適した所定種類の陳列棚とが必要であることが特定され、上記設備が有りかつ上記スペースの横幅が背板の横幅より短い場合にはその横幅に適した種類の陳列棚が必要であることが特定され、上記設備が有りかつ上記スペースの横幅が背板の横幅以上である場合には上記背板の横幅に適した所定種類の陳列棚が必要であることが特定され、さらに、上記収納箱が必要である場合には収納箱が必要であることが特定されるようにしたことを特徴とするシート。
【請求項７】
請求項３〜請求項５のいずれか一項に記載の陳列装置の受注方法であって、上記陳列装置の発注者に請求項６記載のシートを配布し、このシートの各項目をチェックさせ、上記陳列装置のうち必要な構成部材を特定したうえで注文させるようにしたことを特徴とする陳列装置の受注方法。
【発明の詳細な説明】
【技術分野】
【０００１】
本発明は、化粧品等の各種商品を店頭等に陳列するための陳列装置およびその受注に用いられるシート並びにその受注方法に関するものである。
【背景技術】
【０００２】
従来から、ファンデーション等の各種化粧品のテスターや販売品等の商品を店頭等に陳列する際には、例えば、図２４に示すような商品等の陳列棚が使用されている。この陳列棚は、背板４１と、この背板４１の背面に取り付けられた化粧パネル４２と、化粧瓶等の商品４４が陳列された複数の棚板４３とで構成されており、上記背板４１の枠部４５に取り付けられた格子状の棚取付部４６に上記各棚板４３が着脱自在に取り付られている（例えば、特許文献１参照）。図において、４７は基台である。
【特許文献１】登録実用新案公報第３０３４１６１号公報
【発明の開示】
【発明が解決しようとする課題】
【０００３】
しかしながら、上記の陳列棚では、これを配設する店舗に、上記背板４１として利用することができる設備が既設されていても、この既設の設備を有効利用することができないという問題がある。しかも、上記の陳列棚を発注する者にとっては、上記の陳列棚を全体として発注するという選択枝しかないうえ、陳列棚全体を購入すると高価になるという問題もある。しかも、上記の陳列棚を発注する場合には、注文すべきものが判りやすく（例えば、質問形式で）説明されているシート等があれば、非常に便利である。したがって、店舗に陳列装置の一部として利用しうる設備がある場合にはこれを有効利用することができ、しかも、安価な陳列装置およびその受注に用いられるシート並びにその受注方法の提供が強く望まれている。
【０００４】
本発明は、このような事情に鑑みなされたもので、店舗に陳列装置の一部として利用しうる設備がある場合にはこれを有効利用することができ、しかも、安価な陳列装置およびその受注に用いられるシート並びにその受注方法の提供をその目的とする。
【課題を解決するための手段】
【０００５】
上記の目的を達成するため、本発明は、商品を収納する収納箱と、上下方向に延びる左右一対のレールを有する背板と、この背板の両レールに取り付けられる陳列棚とを備え、上記陳列棚が、商品を載置する棚板部と、この棚板部の後部に載置されるケースと、このケースの内部に配設する照明手段とからなり、上記収納箱に背板を固定しこの背板の両レールに陳列棚を取り付けるようにした第１の態様と、商品を販売する店舗に左右一対のレールが既設されている場合にこれら両レールに陳列棚を取り付けるようにした第２の態様とのいずれかの態様を選択しうるように構成した陳列装置を第１の要旨とし、上記陳列装置を受注する際に用いられるシートであって、上記背板の両レールの代わりとなる左右一対のレールが、店舗に既設された設備として有るのか無いのかをチェックする項目と、上記設備が有る場合に上記設備の周りのスペースの横幅が上記背板の横幅以上であるのか上記背板の横幅より短いのかをチェックする項目と、上記設備が有りかつ上記スペースの横幅が背板の横幅以上である場合に上記収納箱が必要で有るのか無いのかをチェックする項目とが記載され、各項目をチェックすることにより、上記設備が無い場合には上記陳列装置のうち収納箱と背板とこの背板の横幅に適した所定種類の陳列棚とが必要であることが特定され、上記設備が有りかつ上記スペースの横幅が背板の横幅より短い場合にはその横幅に適した種類の陳列棚が必要であることが特定され、上記設備が有りかつ上記スペースの横幅が背板の横幅以上である場合には上記背板の横幅に適した所定種類の陳列棚が必要であることが特定され、さらに、上記収納箱が必要である場合には収納箱が必要であることが特定されるようにしたシートを第２の要旨とし、上記陳列装置の受注方法であって、上記陳列装置の発注者に上記シートを配布し、このシートの各項目をチェックさせ、上記陳列装置のうち必要な構成部材を特定したうえで注文させるようにした陳列装置の受注方法を第３の要旨とする。
【発明の効果】
【０００６】
すなわち、本発明の陳列装置は、商品を収納する収納箱と、上下方向に延びる左右一対のレールを有する背板と、この背板の両レールに取り付けられる陳列棚とを備えており、上記陳列棚が、商品を載置する棚板部と、この棚板部の後部に載置されるケースと、このケースの内部に配設する照明手段とからなっている。そして、上記収納箱に背板を固定しこの背板の両レールに陳列棚を取り付けるようにした第１の態様と、商品を販売する店舗に左右一対のレールが既設されている場合にこれら両レールに陳列棚を取り付けるようにした第２の態様とのいずれかの態様を選択しうるように構成されている。したがって、本発明の陳列装置では、商品を販売する店舗に本発明の陳列装置の一部として利用できるものが既設されていない場合には、収納箱，背板および陳列棚（すなわち、本発明の陳列装置の全体）を用いて本発明の陳列装置を作製し（第１の態様を選択し）、これに商品を陳列することができるだけでなく、上記店舗に左右一対のレールが既設されている場合には、これら両レールを有効利用し、これら両レールに陳列棚を取り付け（第２の態様を選択し）、これに商品を陳列することができる。このため、上記陳列装置の発注者は、店舗に左右一対のレールが既設されている場合には、第２の態様を選択することで、陳列棚だけを発注することができ、設備費が安価になる。
【０００７】
また、本発明のシートを用いると、上記背板の両レールの代わりとなる左右一対のレールが、店舗に既設された設備として有るのか無いのかをチェックする項目等、各項目に対応して、上記陳列装置のうち必要な構成部材を特定することができるため、発注しやすくなり、非常に便利である。また、本発明の陳列装置の受注方法によれば、上記シートを陳列装置の発注者に配布し、このシートの各項目をチェックさせることで、上記陳列装置のうち必要な構成部材を特定することができ、非常に便利である。
【０００８】
また、本発明の陳列装置において、上記第２の態様において、店舗に既設された両レールの近傍に収納箱を配設するようにしたＡ態様と、商品を収納する収納手段が上記店舗にある場合にこの店舗に既設された両レールの近傍に上記収納手段を配設するようにしたＢ態様とのいずれかの態様を選択しうるように構成すると、上記収納箱もしくは収納手段に収納した商品により、陳列棚への商品の補給等が素早く行える。
【０００９】
また、本発明の陳列装置において、上記陳列棚として、横幅の異なる複数種類のものが用意されていると、背板の両レールの横幅もしくは上記店舗に既設された両レールの横幅に対応させて、使用する陳列棚を選択することができる。
【００１０】
また、本発明の陳列装置において、上記陳列棚の後壁に左右一対のスライド板を左右方向にスライド自在に取り付け、これら両スライド板に、背板のレールに着脱自在に係合する係合手段を設けると、作製時の製作誤差等で背板の両レール間の間隔にばらつき等がある場合にも、両スライド板を左右方向にスライドさせて両スライド板間の間隔を調節することで、上記ばらつき等に対応させることができる。
【００１１】
また、本発明の陳列装置において、上記両スライド板の係合手段より下側部分から突片を後方に向かって突設し、この突片が背板に当接した状態では上記陳列棚の棚板部が略水平姿勢に保持されるように構成されていると、背板のレールに陳列棚を取り付けた際に、この陳列棚の棚板部を上記突片により略水平姿勢に保持することができ、商品を安定した姿勢で陳列することができる。
【発明を実施するための最良の形態】
【００１２】
つぎに、本発明の実施の形態を図面にもとづいて詳しく説明する。
【００１３】
図１は本発明の陳列装置の一実施の形態を示している。図において、１は収納ボックス（収納箱）であり（図２参照）、ファンデーション等の各種化粧品（商品）（図示せず）が多数収納された複数個の引出し１ａ，１ｂが出し入れ自在に設けられている。上記収容ボックス１には、その後壁上端部に、後述するバック棚レール２のバックル１１の他方に固定可能なバックル１１の一方が取り付けられている（図１４参照）。また、上記収納ボックス１には、その内部に蛍光灯等の照明手段（図示せず）が取り付けられている。図２において、１ｃは電気コードである。
【００１４】
２は上記収納ボックス１に固定可能なバック棚レールであり（図３参照）、上記収容ボックス１の上壁上に載置される載置板３と、この載置板３の後端部上面から立設される背板４と、この背板４の前面に固定される左右一対のレール５（これら両レール５は所定間隔をあけて配設されており、それぞれが上下方向に一直線状に延びている）とを備えている。これら両レール５は、上記背板４の前面に固定されるコ字状板材５ａを備えており、このコ字状板材５ａに上下方向に所定間隔をあけて、後述する陳列ユニット６の取付金具１５に着脱自在に係合する多数の係合孔５ｂが穿設されている（図４参照）。また、上記載置板３と背板４とは、載置板３の後端部の左右両側面および背板４の下端部の左右両側面に固定される左右一対のＬ字状の連結固定金具１２（左側の連結固定金具１２は隠れて見えない）により連結固定されており、これら両連結固定金具１２の前端部から、上記収容ボックス１の上端部にビス３１止めしうる固定部１２ａが垂下している（図１３参照）。また、上記背板４の下端部には、上記収容ボックス１のバックル１１の一方に固定可能なバックル１１の他方が取り付けられている（図１４参照）。
【００１５】
６は上記バック棚レール２の両レール５に着脱自在に取り付けられる複数個（この実施の形態では、４個）の陳列ユニット（陳列棚）であり（図５参照）、上記化粧品を載置する透明な棚板部１３と、この棚板部１３の後部上面に載置される白色，乳白色等の透明プラスチック製（もしくはガラス製）のケース１４と、このケース１４の内部に配設される蛍光灯等の照明手段（図示せず）と、上記ケース１４の後壁１４ａおよび棚板部１３に左右方向にスライド自在に固定されるＬ字状の取付金具（スライド板）１５とを備えている（図６参照）。また、上記ケース１４には、その後壁１４ａの上端部の左右両側にそれぞれ、左右方向に所定長さで延びる左右一対の長孔１６が穿設されており、上記両長孔１６に対応する上記後壁１４ａの内側面（前側面）の部分に、上記両長孔１６を取り囲むようにして四角形環状の凹部１７が形成されている（図７および図８参照）。これら両凹部１７には四角形平板状の取付板１８が、上記両凹部１７に対して回転不能でかつ左右方向に移動可能な状態で配設されており、この取付板１８に、調節ボルト２３にら合しうるねじ孔１８ａが穿設されている。また、上記棚板部１３の後部にも、ケース１４の後壁１４ａと同様に、長孔１６，凹部１７が形成されているとともに、この凹部１７に取付板１８が配設されており、この取付板１８にねじ孔１８ａが穿設されている（図７および図８参照）。図６において、１４ｂはケース１４の後壁１４ａに穿設された、ケース１４内の熱を外部に放熱するための複数の放熱孔である。
【００１６】
一方、上記取付金具１５には、そのＬ字状の縦片２１の上端部および横片２２に、調節ボルト２３にら合しうる左右一対のねじ孔２１ａ，２２ａが穿設されている。そして、上記各調節ボルト２３が取付金具１５の縦片２１の２つのねじ孔２１ａおよび横片２２の２つのねじ孔２２ａにねじ込まれているとともに、縦片２１および横片２２の長孔１６を挿通して各取付板１８のねじ孔１８ａにねじ込まれている。したがって、上記取付金具１５を所定の位置に位置決めして調節ボルト２３を締め付けることで、上記取付金具１５を所定の位置に固定することができ、また、その状態から調節ボルト２３を緩めて上記取付金具１５を左右方向にスライド可能な状態にしたのち、所望の位置にスライドさせ、その位置で調節ボルト２３を締め付けることで、上記取付金具１５を上記所望の位置に固定することができる。この実施の形態では、各取付金具１５を１０ｍｍ程度スライドさせることができる。また、上記横片２２の両ねじ孔２２ａには、上記調節ボルト２３の頭部２３ａ（図１６参照）が納まる（上記横片２２の底面から上記頭部２３ａが突出しない）大きさの座ぐり等の凹部２２ｂが形成されている（図７参照）。
【００１７】
また、上記縦片２１には、その上部に、上下一対のフック２４ａを有する係合爪（係合手段）２４が突設されており、上記両フック２４ａがバック棚レール２の両レール５の係合孔５ｂに着脱自在に係合しうるようにしている。また、上記縦片２１の下端部には、棚板部１３が略水平になった状態で背板４に当接して上記水平状態を保持しうる四角形平板状の突片２５が突設されている。このような陳列ユニット６は、横幅が９００ｍｍのものと６００ｍｍのものとの２種類が用意されている。図５において、６ａは電気コードであり、各陳列ユニット６に２本ずつ設けられている。６ｂは最下段に配設される陳列ユニット６用のＬ字形コンセントである。
【００１８】
７は上記各陳列ユニット６の棚板部１３上に載置される白色，乳白色等の透明プラスチック製（もしくはガラス製）のロゴサイン表示ボックスであり、その前面には、ロゴサイン等（図示せず）が印刷されたシート７ａ等が貼着されている（図９参照）。８は最上段の陳列ユニット６上に載置される白色，乳白色等の透明プラスチック製（もしくはガラス製）のコルトンボックスであり、その前面には、ロゴマーク，写真，宣伝文句等（図示せず）が印刷されたシート８ａ等が貼着されている。このコルトンボックス８の後壁および底壁（ともに図示せず）にも、その左右両側に、上記取付金具１５と同様構造のＬ字状の取付金具（図示せず）が固定されている。また、このコルトンボックス８の内部には蛍光灯等の照明手段（図示せず）が取り付けられている。このようなコルトンボックス８は、横幅が９００ｍｍのものと６００ｍｍのものとの２種類が用意されている。図１０において、８ｂは電気コードである。
【００１９】
９はカウンターテーブルセットであり、ファンデーション等の各種化粧品（図示せず）が多数収納された出し入れ自在な複数個の引出し２７ａを備えたカウンター２７（図１１参照）と、天板２８と脚２９と椅子３０とで構成されている。図１１において、２７ｂは電気コードである。
【００２０】
上記の構成において、図１に示す陳列装置を組み立てる場合には、まず、収容ボックス１の上壁上にバック棚レール２の載置板３を載置し（図１２参照）、このバック棚レール２の左右両側に固定した連結固定金具１２の固定部１２ａを収容ボックス１の上端部の左右両側にビス３１止めし（図１３参照）、上下一対のバックル１１を固定する（図１４参照）。ついで、上記バック棚レール２の載置板３上に陳列ユニット６の棚板部１３を載置し、上記バック棚レール２の両レール５の係合孔５ｂに陳列ユニット６の取付金具１５の両フック２４ａを差し込んで固定する（図１５および図１６参照）。ついで、この最下段の陳列ユニット６のケース１４上に陳列ユニット６の棚板部１３を載置し、取付金具１５をバック棚レール２に固定する。これを３回繰り返し、上記バック棚レール２の載置板３上に４段の陳列ユニット６を積み重ねる。つぎに、最上段の陳列ユニット６のケース１４上にコルトンボックス８を載置し、上記と同様にして、コルトンボックス８のＬ字状の取付金具をバック棚レール２に固定する（図１７参照）。つぎに、各陳列ユニット６の電気コード１ｃ，６ａ，８ｂ，２７ｂを繋ぎ（図１８参照）、各陳列ユニット６の棚板部１３上にロゴサイン表示ボックス７および化粧品を載置する。また、カウンター２７の上面上に天板２８の左側部分を載置してビス３２止めするとともに、天板２８の右端部に脚２９をビス３３止めし、椅子３０を並べ、カウンターテーブルセット９を組み立てる（図１参照）。このようにして、図１に示す陳列装置を組み立てることができる。
【００２１】
このような陳列装置を受注する際には、図１９に示すシート１０が用いられる。このシート１０には、その表面に、「ご注文Ｑ＆Ａ」という表題とともに、この表題のもとに質問と回答に関する項目が記載されており、これら各項目同士をＹＥＳ（イエス）もしくはＮＯ（ノー）を示す直線で結ぶ形式で（イエス・オア・ノー形式で）表示されている。より詳しく説明すると、上記シート１０の表面には、「棚柱レールはありますか？」と記載された項目があり、この項目とノーで結ばれる項目として、「基本セット＋バック棚レール（Ｗ＝９００ｍｍ）」と記載された項目があり、イエスで結ばれる項目として、「空きスペースはＷ＝９００ですか？」と記載された項目がある。また、この項目とノーで結ばれる項目として、「空きスペースはＷ＝６００ですか？」と記載された項目があり、イエスで結ばれる項目として、「収納ボックスはご入り用ですか？」と記載された項目がある。また、上記の「空きスペースはＷ＝６００ですか？」と記載された項目とノーで結ばれる項目として、「組み合わせ単品セット」と記載された項目があるとともに、イエスで結ばれる項目として、「オプション単品セット（Ｗ＝６００ｍｍ）」と記載された項目がある。また、上記の「収納ボックスはご入り用ですか？」と記載された項目とノーで結ばれる項目として、「基本単品セット（Ｗ＝９００ｍｍ）」と記載された項目があり、イエスで結ばれる項目として、「基本セット（Ｗ＝９００ｍｍ）」と記載された項目がある。
【００２２】
上記シート１０を用い、上記陳列装置を受注する場合には、この陳列装置の発注者に上記シート１０を配布し、このシート１０に記載された各項目をチェックさせる。より詳しく説明すると、まず、店舗（図示せず）に既設された設備として、上記バック棚レール２の両レール５に代わるものとして、両レール５と同様構造の棚柱レール３５，３６（図２０および図２２参照）があるのかないのかをチェックさせる。また、上記棚柱レール３５，３６がある場合には、棚柱レール３５間の間隔がバック棚レール２の両レール５間の間隔と略同じで、その周りに横幅９００ｍｍ程度のスペースがあるのか、棚柱レール３６間の間隔がバック棚レール２の両レール５間の間隔より狭いが、その周りに横幅６００ｍｍ程度のスペースがあるのか、横幅６００ｍｍより狭いスペースしかないのかをチェックさせる。また、上記棚柱レール３５がある場合には、収納ボックス１が必要なのか、この収納ボックス１に代わるものとして、収納箱３９（図２０〜図２３参照）等の収納手段が店舗にあり上記棚柱レール３５の近傍に配設することができるため、収納ボックス１が不要であるのかをチェックさせる。
【００２３】
そして、チェックの結果、棚柱レール３５，３６がない場合には、本発明の陳列装置のうち、収納ボックス１，バック棚レール２、横幅９００ｍｍの４個の陳列ユニット６，４個のロゴサイン表示ボックス７および横幅９００ｍｍのコルトンボックス８［上記シート１０における、基本セット＋バック棚レール（Ｗ＝９００ｍｍ）］を上記発注者に発注させ、図１に示す陳列装置を組み立てる（第１の態様）。また、上記棚柱レール３５，３６がある場合において、それが棚柱レール３６であり、その周りに横幅６００ｍｍ程度のスペースがあると、横幅６００ｍｍの４個の陳列ユニット６，４個のロゴサイン表示ボックス７および横幅６００ｍｍのコルトンボックス８［上記シート１０における、オプション単品セット（Ｗ＝６００ｍｍ）］を発注させ、上記棚柱レール３６に横幅６００ｍｍの各陳列ユニット６，コルトンボックス８を取り付け、各陳列ユニット６にロゴサイン表示ボックス７を載置する（第２の態様）（図２０および図２１参照）。この実施の形態では、店舗にある収納箱３９を上記棚柱レール３６の前側に配設している（Ｂ態様）。また、横幅６００ｍｍより狭いスペースしかないと、その横幅に合わせて新しく陳列ユニット６，ロゴサイン表示ボックス７およびコルトンボックス８［上記シート１０における、組み合わせ単品セット］を作製し、発注に対応する（図示せず）。
【００２４】
また、上記棚柱レール３５，３６がある場合において、それが棚柱レール３５であり、その周りに横幅９００ｍｍ程度のスペースがあり、かつ収納ボックス１が必要であると、収納ボックス１，横幅９００ｍｍの４個の陳列ユニット６，４個のロゴサイン表示ボックス７および横幅９００ｍｍのコルトンボックス８［上記シート１０における、基本セット（Ｗ＝９００ｍｍ）］を発注させ、上記棚柱レール３５の前側に収納ボックス１を配設し（Ａ態様）、この収納ボックス１の上側で上記棚柱レール３５に横幅９００ｍｍの各陳列ユニット６，コルトンボックス８を取り付け、各陳列ユニット６にロゴサイン表示ボックス７を載置する（第２の態様）（図示せず）。また、収納ボックス１が必要でないと、横幅９００ｍｍの４個の陳列ユニット６，４個のロゴサイン表示ボックス７および横幅９００ｍｍのコルトンボックス８［上記シート１０における、基本単品セット（Ｗ＝９００ｍｍ）］を発注させ、上記棚柱レール３５の前側に収納箱３９を配設し（Ｂ態様）、この収納ボックス１の上側で上記棚柱レール３５に横幅９００ｍｍの各陳列ユニット６，コルトンボックス８を取り付け、各陳列ユニット６にロゴサイン表示ボックス７を載置する（第２の態様）（図２２および図２３参照）。図２０〜図２３において、３８は化粧品である。
【００２５】
このように、上記実施の形態では、店舗に棚柱レール３５，３６や収納箱３９があるかどうかをチェックし、これに対応させて上記陳列装置の全体もしくは一部を選択して受注することができるうえ、上記棚柱レール３５，３６や収納箱３９を利用して陳列装置を組み立てる場合には、設備費が安価になる。しかも、上記陳列ユニット６に取付金具１５を左右方向にスライド自在に取り付けているため、作製時の製作誤差等で背板４の両レール５間の間隔にばらつきがある場合にも、両取付金具１５を左右方向にスライドさせることで、上記ばらつきに対応させることができる。しかも、上記取付金具１５に突片２５が突設されているため、陳列ユニット６を取り付けた際に、この陳列ユニット６の棚板部１３を略水平姿勢に保持することができる。しかも、陳列ユニット６の透明な棚板部１３上に載置された化粧品は、陳列ユニット６のケース１４およびコルトンボックス８から発光される透明感のある光で、後側からだけではなく、上下両側から（最下段の化粧品は上側からだけ）も照明されるとともに、ロゴサイン表示ボックス７を介して右側もしくは左側からも照明されるため、透明感のある化粧品の色を引き出すことができる。
【００２６】
なお、上記実施の形態では、横幅の異なる複数種類の陳列ユニット６，コルトンボックス８を用いているが、これに限定するものではなく、同じ横幅の陳列ユニット６，コルトンボックス８を用いることもできる。
【図面の簡単な説明】
【００２７】
【図１】本発明の陳列装置の一実施の形態を示す斜視図である。
【図２】収納ボックスの斜視図である。
【図３】バック棚レールの斜視図である。
【図４】レールの断面図である。
【図５】陳列ユニットの斜視図である。
【図６】上記陳列ユニットの説明図である。
【図７】上記陳列ユニットの断面図である。
【図８】上記陳列ユニットの要部の断面図である。
【図９】ロゴサイン表示ボックスの斜視図である。
【図１０】コルトンボックスの斜視図である。
【図１１】カウンターの斜視図である。
【図１２】上記陳列装置の組み立て方法を示す斜視図である。
【図１３】上記陳列装置の組み立て方法を示す斜視図である。
【図１４】上記陳列装置の組み立て方法を示す斜視図である。
【図１５】上記陳列装置の組み立て方法を示す斜視図である。
【図１６】上記陳列装置の組み立て方法を示す断面図である。
【図１７】上記陳列装置の組み立て方法を示す斜視図である。
【図１８】上記陳列装置の組み立て方法を示す斜視図である。
【図１９】シートの説明図である。
【図２０】第２の態様における組み立て方法を示す斜視図である。
【図２１】第２の態様における組み立て方法を示す斜視図である。
【図２２】第２の態様における組み立て方法を示す斜視図である。
【図２３】第２の態様における組み立て方法を示す斜視図である。
【図２４】従来例を示す斜視図である。
【符号の説明】
【００２８】
１  収納ボックス
４  背板
６  陳列ユニット
１３  棚板部
１４  ケース
【図１】
2006192085.tif 000003
【図２】
2006192085.tif 000004
【図３】
2006192085.tif 000005
【図４】
2006192085.tif 000006
【図５】
2006192085.tif 000007
【図６】
2006192085.tif 000008
【図７】
2006192085.tif 000009
【図８】
2006192085.tif 000010
【図９】
2006192085.tif 000011
【図１０】
2006192085.tif 000012
【図１１】
2006192085.tif 000013
【図１２】
2006192085.tif 000014
【図１３】
2006192085.tif 000015
【図１４】
2006192085.tif 000016
【図１５】
2006192085.tif 000017
【図１６】
2006192085.tif 000018
【図１７】
2006192085.tif 000019
【図１８】
2006192085.tif 000020
【図１９】
2006192085.tif 000021
【図２０】
2006192085.tif 000022
【図２１】
2006192085.tif 000023
【図２２】
2006192085.tif 000024
【図２３】
2006192085.tif 000025
【図２４】
2006192085.tif 000026